(57)【要約】【課題】  本発明は、コンロ片面焼きグリルの焼き魚調理において焼き網及び水受け皿の汚れ防止を図る、魚焼きトレーの製作具及び製作方法を提供する。【解決手段】  コンロ片面焼きグリルの焼き網上に展開されたアルミホイル等の難燃性シート材は、同焼き網と水受け皿の側面部の上部やフランジ部に中空支持された状態で、合成樹脂製等の薄く剛性があり且つ適宜押し位置微調整可能な、水受け皿側面と接触しない寸法を有する板状製作具による引き寄せと押し下げに、連動して折り曲げ及び緩やかな絞り曲げされて、山折り部・谷折り部・側面部・フランジ部を形成し且つ成形後の山折り部の補強で実用上充分なる剛性と深さを有する波状構造の簡便で安価なコンロ片面焼きグリルの魚焼きトレーの製作具及び製作方法。【選択図】図４
2011143213.tif 000002
【特許請求の範囲】
【請求項１】
コンロの片面焼きグリルの焼き網上に展開（敷かれた）アルミ箔等の難燃性シート材（以下シート材）は、焼き網・水受け皿フランジ部及び水受け皿側面部により中空支持を構成した状態で、手持ちして変形しない厚みの充分なる剛性を有した合成樹脂製、木製、金属製、硬質紙製等により成る一枚の板が、山折り部間域を引き寄せ・押し下げて、山折り部と谷折り部を折り曲げ成形すると同時に、山折り部間域のシート材両端の中空支持部である、焼き網と水受け皿側面部及び水受け皿フランジ部において、シート材を引き寄せして、側面部とフランジ部を緩やかな絞り曲げ成形が実行されるべく、シート材を破損しないように中空支持部と直接接触しない寸法と、シート材との滑りが良好な曲面状の接触面を有することを特長とする、コンロ片面焼きグリルの魚焼きトレーの製作具。
【請求項２】
請求項１のコンロ片面焼きグリルの魚焼きトレー製作具の接触部の長さ寸法は、水受け皿側面部が上方広がり構造では、水受け皿底部両端間幅寸法を基準にして、０ｍｍ〜７５ｍｍの範囲の寸法差異で、且つ最適には１０ｍｍ〜４５ｍｍの範囲で寸法差異が生じるような長さ寸法の一枚の板構造、又は鞘構造で前述の寸法調整が可能な板構造で、焼き網と水受け皿フランジ部・水受け皿側面部で、中空支持されたシート材を引き寄せ・押し下げ、折り曲げ成形及び緩やかな絞り曲げ成形をすることを特長とする、請求項１の魚焼きトレーの製作具。
【発明の詳細な説明】
【技術分野】
【０００１】本発明は、グリル付コンロの魚焼き調理における、本体グリルに付帯した魚焼きトレー製作具に関わる。
【背景技術】
【０００２】従来グリル付コンロで魚焼き調理をするときは、調理後グリル焼き網やグリル水受け皿の油分等の汚れに伴う洗い処理は、大変手間のかかる厄介な作業であった。
【先行技術文献】
【０００３】これらを改善するために、アルミ箔等の難燃性薄厚シート類の材料で、簡易受け皿を予め屏風状に折り曲げ、山折り部と谷折り部及び側壁部より構成された、魚焼きトレー。（特許文献１）
特許文献１と同様なシート材料を予め屏風状に折り曲げ、山折り部Ｕ字形の谷折り部より構成されたトレー。（特許文献２）
特許文献１と同様なシート材料を折り畳み可能な二枚の板に複数の山折り・谷折り・及び側面折りが同時に形成できるグリルトレー製作具（特許文献３）
特許文献１と同様なシート材料をグリルにセットした焼き網上に、調理者等が焼き網線間にローラー表面の軸方向に具備された突起部で押し下げ・折り曲げて、山折り部とＵ字形の谷折り部及び側面部を成形させるグリルトレー製作具（特許文献４）
特許文献１と同様なシート材料を焼き網上に敷き、二つ折りした長方形の薄板の先端にスポンジ等の伸縮性を有する材料を具備させて、二つの押し部により焼き網線間を挟みながら二谷分を押し下げて・折り曲げして、一本毎に移動しながら山折り部と谷折り部及び側面部を成形させるグリルトレー製作具（特許文献５）
【０００４】特許文献１      特開  ２００６−２１８２５５
特許文献２      特開  ２００６−３２６２３９
特許文献３      特開  ２００６−１０３９６５
特許文献４      特開  ２００１−２８６９４８
特許文献５      特開  ２００３−１０５２
【発明の概要】
【発明が解決しようとする課題】
【０００５】ガス及び電気式コンロのグリルで焼き魚等の調理における本体グリルに付帯したトレーの構造及び製作具はいくつ有るが、機能性・製作の容易性・製作コスト等で納得のいくものは無かった。【０００６】特許文献１の従来の方法は、アルミ箔等の難燃性シート状の材料を屏風状に折り曲げた後、側面部を中央で折り曲げ剛性を持たせるため、側面部中央がへこんだ状態になり本体グリル水入れ皿側面部及び上縁部（以下フランジ部）との隙間が生じて焼き魚から排出される油分や水分が滴下するだけでなく、表面から局部的に爆発上に飛散するため前述隙間からの漏洩は避けられず、又シート材の剛性の面で製作上取り扱いが容易ではなく、自動化は困難を伴うため、家内制手工業の域を出ることが出来ずコスト高の要因となっていた。【０００７】特許文献２の方法は、特許文献１同様にシート材を屏風状に折り曲げて成形するが側面部は考慮されないため、焼き魚から排出される油分や水分を完全に貯留することは出来なかった。【０００８】特許文献３の従来の方法は、山折り部と谷折り部の高低差が充分とれ、且つＵ字形に成形されているため充分な水量が保持されが、特許文献１の方法と同様に側面の成形により本体グリル水入れ皿側面部及びフランジ部との隙間が生じて、わずかではある同水入れ皿の汚染が払拭できず、且つ製法上量産が困難でコスト高となり、広く市場に流通されない要因になっていた。【０００９】特許文献４の従来の方法は、家庭のコンログリルにおいて、ローラー表面の軸方向に具備された、突起部でシート材を焼き網線間にローラーを回転させて折り曲げる成形具のため焼き線間との寸法が一致していなければならず、且つ山折り部と谷折り部との高低差が、突起部の寸法・形状で制約され押し下げ微調整が出来ず、特にシート材が水受け皿側面部及びフランジ部での絞り込みが容易に実行できずシート材が破損し易く、又成形型が家庭用の簡略な道具としては、安価に製作できない問題があった。【００１０】特許文献５の従来の方法は、家庭のコンログリルにおいて、長手一辺が連結した二枚の板の先端に弾力性を有するスポンジ等の押し部で、押し下げ折り曲げる成形具であるが、焼き網線間に挿入しにくく先端部の接触状況を勘案して、先端部押し部を単独又は双方同時に、微調整することは容易ではなかった。
そこで本発明は、従来のこれらの問題を見つけこれらを解決したもので、グリル付コンロでの焼き魚等の調理において、グリルの焼き網及び水入れ皿の汚れ防止を図る魚焼きトレーを、提供することを目的としたものである。
【課題を解決するための手段】
【００１１】請求項１の発明は、コンロの片面焼きグリルの焼き網上（４）に展開（敷かれた）されたアルミ箔等の難燃性シート材（以下シート材）（７）は、焼き網（４）・水受け皿上縁部（以下フランジ部）（５）及び水受け皿側面部（６）により中空支持を構成した状態で、手持ちして変形しない厚みの充分なる剛性を有した合成樹脂製、木製、金属製、硬質紙製等により成る一枚の板（１、２）が、山折り部間域（１０Ａ）を引き寄せ・押し下げて、山折り部（１０）と谷折り部（１１）を折り曲げ成形すると同時に、山折り部間域（１０Ａ）のシート材両端（７Ａ、７Ｂ）の中空支持部である、焼き網（４）と水受け皿側面部（６）及び水受け皿フランジ部（５）において、シート材（７）を引き寄せして、側面部（１２）とフランジ部（１３）を緩やかな絞り曲げ成形が実行されるべく、シート材（７）を破損しないように中空支持部と直接接触しない寸法と、シート材（７）との滑りが良好な曲面状の接触面（１Ｂ、１Ｃ）を有することを特長とする、コンロ片面焼きグリルの魚焼きトレー（１６）の製作具（１、２）。
〔請求項２〕【００１２】  請求項２の発明は、請求項１のコンロ片面焼きグリルの魚焼きトレー製作具（１、２）の接触部（１Ａ、２Ａ）の長さ寸法は、水受け皿側面部（６）が上方広がり構造では、水受け皿底部両端間（１４Ａ〜１４Ｂ）幅寸法を基準にして、０ｍｍ〜７５ｍｍの範囲の寸法差異で、且つ最適には１０ｍｍ〜４５ｍｍの範囲で寸法差異が生じるような長さ寸法の一枚の板構造（１、２）、又は鞘構造（１Ｄ）で前述の寸法調整が可能な板構造で、焼き網（４）と水受け皿フランジ部（５）・水受け皿側面部（６）で、中空支持されたシート材（７）を引き寄せ・押し下げて、折り曲げ成形及び緩やかな絞り曲げ成形をすることを特長とする、請求項１の魚焼きトレー（１６）の製作具（１、２）。
【発明の効果】
【００１３】請求項１の発明によれば、コンロ片面焼きグリルの焼き網（４）に展開し、同焼き網（４）及び水受け皿フランジ部（５）及び水受け皿側面部（６）で中空支持されたシート材（７）を、焼き網（４）線上の山折り部（１０）で一方の片手・手指（８）で押えながら、山折り部間域（１０Ａ）より本発明の製作具（１、２）をもう一方の片手・手指（９）で持ち、曲面状（１Ｂ、１Ｃ）に加工された接触部（１Ａ、２Ａ）を、わずかに円弧の軌跡を描くように少しずつ複数回押し下げて、焼き網（４）上のシート材（７）を、山折り部（１０）と谷折り部（１１）に折り曲げ成形すると共に、シート材両端（１４Ａ、１４Ｂ）を引き寄せながら側面部（１２）とフランジ部（１３）を緩やかな絞り曲げ成形して、焼き網（４）上にＵ字状の谷が構築された魚焼きトレー（１６）が、材料費のみで安価に調理時にタイムリーに成形され、調理後ゴミとして処分するだけで、グリル水受け皿（３）の汚れは無く、調理毎の洗い作業は特段不要でグリルの清潔は保持される。【００１４】請求項２の発明によれば、請求項１の発明の製作具（１、２）両端と水受け皿（３）の側面部（６）との隙間寸方を、製作具（１、２）の接触部（１Ａ、２Ａ）の長さ寸方を鞘構造（１Ｄ）で調整して、山折り部間域（１０Ａ）上のシート材（７）を引き寄せ・押し下げて山折り部（１０）と谷折り部（１１）が折り曲げ成形され、同時に中空支持されたシート材両端（７Ａ、７Ｂ）の緩やかな絞り曲げ成形がより良好に行われることにより、焼き魚との接触面積が小さい剛性が向上した山折り部（１０）と、魚焼きに供する水を貯留するに充分な深さのＵ字状の谷折り部（１１）と側面部（１２）及びフランジ部（１３）がシート（７）を破損すること無く確実に成形され、材料費のみで家庭のコンログリルで安価で簡単に製作できた。
【図面の簡単な説明】
【００１５】
【図１】  魚焼きトレーの製作具概念図
【図２】  グリル水受け皿・焼き網概念図
【図３】  グリル焼き網上のシート材の展開概念図
【図４】  グリル焼き網上での魚焼きトレーの製作概念図
【図５】  図４の製作概念の断面概念図
【図６】  グリル焼き網上に魚焼きトレー載置奥行き断面概念図
【図７】  魚焼きトレー成形後山折り部補強概念図
【発明を実施するための形態】
【実施例１】
【００１６】以下本発明の実施例を図１〜図７に基づいて説明する。
図１に示すように、合成樹脂製で長方形（１７０ｍｍ＊５５ｍｍ＊２ｍｍ）の魚焼きトレー製作具（１）を図２に示すように、水受け皿（３）  （２００ｍｍ＊２８０ｍｍ＊２８ｍｍ）の上に展開された焼き網（４）（２１０ｍｍ＊２９０ｍｍ）に図３に示すように市販されている家庭用アルミホイル（以下シート材）（７）（幅２５０ｍｍ  厚さ１１μｍのロール巻きを長さ７００ｍｍにカット）を載置して図４に示すよう焼き網（４）と水受け皿（３）のフランジ面（５）と側面（６）で中空支持された状態で、左（右）手（８）の親指・人差し指・中指で焼き網（４）上のシート材（７）を固定して右（左）手（９）で前述の製作具（１）のほぼ中央付近をつまむように持ち、先端部の曲面部（１Ａ）をわずかに円弧の軌跡を描くようにして、小刻みに上下して引き寄せ・押し下げながら（概ね３〜６程度）、且つ谷折り部（１１）が水平バランスを保持するように、都度製作具先端曲面部（１Ａ）の水平バランスを勘案して、製作具（１）を山折り部間域（１０Ａ）の溝の中で、水受け皿底面部両端（１４Ａ、１４Ｂ）間で適宜移動させながらシート材（７）を引き寄せ・押し下げ、山折り部（１０）と谷折り部（１１）を折り曲げながら山折り部間域（１０Ａ）下方に図５示すように、シート材（７）の両端（７Ａ、７Ｂ）で図５及び図６に示すように、水入れ皿（３）のフランジ面（５）と側面（６）及び焼き網（４）との接触摩擦急増で、引き寄せ・押し下げが容易に実行できない段階で、山折り部（１０）が成形されると共に、深さが概ね１２ｍｍ〜１５ｍｍのＵ字形に谷折り部（１１）が成形され、且つ山折り部間域（１０Ａ）の水受け皿フランジ部（５）及び同側面部（６）での中空支持状態での、緩やかな絞り曲げ成形によりシート材両端（７Ａ、７Ｂ）が損傷無く、側面部（１２）と同フランジ部（１３）が成形され、さらに絞り曲げ成形後フランジ部（１３）で顕著なシート材両端（７Ａ、７Ｂ）の立ち上がりがあれば、山折り部（１０）を指で固定した状態で製作具（１）により直接フランジ部（１３）を押さえて水平補正し、これら一連の作業を全ての山折り部間域（１０Ａ）毎に実施後不要シート材（７）をトリミングした上で、図７に示すように片手で山折り部（１０）の端をツマミ押さえ（１９）て固定した上で、もう一方の手指で同山折り部（１０）を強く扱いて（２０）山折り部（１０）の剛性を強化すると共に、焼き魚との接触面積の低減化が図られた、魚焼きトレー（１６）が製作された。
【実施例２】
【００１７】実施例１で本発明の製作具（１）を用いて、図６に示すようにコンログリルに載置した状態で製作された魚焼きトレー（１６）を使用して、水受け皿の水切れ検知用としてコンロ本体に搭載されている水切れセンサー対応として２００ｃｃ給水し、且つ魚焼きトレー（１６）にも全体として１００ｃｃ給水した上で、油分が多い鮮魚二匹を載せ余熱（コンロメーカーの推奨値は３〜４分）無しで焼き調理したが、同トレー素材のアルミ表面からの熱反射の寄与により、魚裏面まで効率よく熱が廻ることにより、焼き上がりが良好で魚の皮の損傷もほとんど無い魚焼き調理が完了して、取り出すと谷折り部（１１）中央域では、魚から排出された水分や油分等は、それらの残渣と焦げ付きとして薄く付着していたが、山折り部（１０）には前述の残渣や焦げ付きの付着がほとんど無く、グリル内の温度低下後使用した魚焼きトレー（１６）の四隅を中心に寄せて、包むように折り畳みグリル外に排出後、水受け皿（３）の給水面には油膜は確認されず、焼き魚調理中の水受け皿（３）への汚れ飛散防止効果が検証できた。
【符合の説明】
【００１８】１    製作具（長方形型）
１Ａ  製作具（長方形型）曲面部
１Ｂ  製作具曲面部の長手方向曲面形状
１Ｃ  製作具曲面部の両端コーナーの曲面形状
１Ｄ  鞘構造製作具
２    製作具（逆台形型）
２Ａ  製作具（逆台形型）曲面部
３    水受け皿
４    焼き網
５    水受け皿フランジ部
６    水受け皿側面部
７    焼き網上に展開したシート材
７Ａ  焼き網上に展開したシート材両端
７Ｂ  焼き網上に展開したシート材両端
８    シート材固定手指
９    製作具と操る手指
１０  山折り部
１０Ａ  山折り部間域
１１  谷折り部
１２  側面部
１３  フランジ部
１４Ａ  水受け皿底面部両端
１４Ｂ  水受け皿底面部両端
１５  水受け皿底面部
１６  魚焼きトレー
１７  水受け皿支持材
１８  グリル扉
１９  山折り部の固定手指
２０  山折り部の扱き手指
【図１】
2011143213.tif 000003
【図２】
2011143213.tif 000004
【図３】
2011143213.tif 000005
【図４】
2011143213.tif 000006
【図５】
2011143213.tif 000007
【図６】
2011143213.tif 000008
【図７】
2011143213.tif 000009
【手続補正書】
【提出日】平成23年4月6日(2011.4.6)
【手続補正１】
【補正対象書類名】明細書
【補正対象項目名】全文
【補正方法】変更
【補正の内容】
【発明の詳細な説明】
【技術分野】
【０００１】本発明は、グリル付コンロの魚焼き調理における、本体グリルに付帯した魚焼きトレー製作具及び製作方法に関わるものである。
【背景技術】
【０００２】従来グリル付コンロで魚焼き調理をするときは、調理後グリル焼き網やグリル水受け皿の油分等の汚れに伴う洗い処理は、大変手間のかかる厄介な作業であった。
【先行技術文献】
【０００３】これらを改善するために、アルミ箔等の難燃性薄厚シート類の材料で、簡易受け皿を予め屏風状に折り曲げ、山折り部と谷折り部及び側壁部より構成された、魚焼きトレー。（特許文献１）
特許文献１と同様なシート材料を予め屏風状に折り曲げ、山折り部Ｕ字形の谷折り部より構成されたトレー。（特許文献２）
特許文献１と同様なシート材料を折り畳み可能な二枚の板に複数の山折り・谷折り・及び側面折りが同時に形成できるグリルトレー製作具（特許文献３）
特許文献１と同様なシート材料をグリルにセットした焼き網上に、調理者等が焼き網線間にローラー表面の軸方向に具備された突起部で押し下げ・折り曲げて、山折り部とＵ字形の谷折り部及び側面部を成形させるグリルトレー製作具（特許文献４）
特許文献１と同様なシート材料を焼き網上に敷き、二つ折りした長方形の薄板の先端にスポンジ等の伸縮性を有する材料を具備させて、二つの押し部により焼き網線間を挟みながら二谷分を押し下げて・折り曲げして、一本毎に移動しながら山折り部と谷折り部及び側面部を成形させるグリルトレー製作具（特許文献５）
【０００４】
【特許文献１】特開  ２００６−２１８２５５
【特許文献２】特開  ２００６−３２６２３９
【特許文献３】特開  ２００６−１０３９６５
【特許文献４】特開  ２００１−２８６９４８
【特許文献５】特開  ２００３−１０５２
【発明の概要】
【発明が解決しようとする課題】
【０００５】ガス及び電気式コンロのグリルで焼き魚等の調理における本体グリルに付帯したトレーの構造及び製作具と製作方法はいくつ有るが、機能性・製作の容易性・製作コスト等で納得のいくものは無かった。【０００６】特許文献１の従来の方法は、アルミ箔等の難燃性シート状の材料を屏風状に折り曲げた後、側面部を中央で折り曲げ剛性を持たせるため、側面部中央がへこんだ状態になり本体グリル水入れ皿側面部及び上縁部（以下フランジ部）との隙間が生じて焼き魚から排出される油分や水分が滴下するだけでなく、表面から局部的に爆発上に飛散するため前述隙間からの漏洩は避けられず、又シート材の剛性の面で製作上取り扱いが容易ではなく、自動化は困難を伴うため、家内制手工業の域を出ることが出来ずコスト高の要因となっていた。【０００７】特許文献２の方法は、特許文献１同様にシート材を屏風状に折り曲げて成形するが側面部は考慮されないため、焼き魚から排出される油分や水分を完全に貯留することは出来なかった。【０００８】特許文献３の従来の方法は、山折り部と谷折り部の高低差が充分とれ、且つＵ字形に成形されているため充分な水量が保持されが、特許文献１の方法と同様に側面の成形により本体グリル水入れ皿側面部及びフランジ部との隙間が生じて、わずかではある同水入れ皿の汚染が払拭できず、且つ製法上量産が困難でコスト高となり、広く市場に流通されない要因になっていた。【０００９】特許文献４の従来の方法は、家庭のコンログリルにおいて、ローラー表面の軸方向に具備された、突起部でシート材を焼き網線間にローラーを回転させて折り曲げる成形具のため焼き線間との寸法が一致していなければならず、且つ山折り部と谷折り部との高低差が、突起部の寸法・形状で制約され押し下げ微調整が出来ず、特にシート材が水受け皿側面部及びフランジ部での絞り込みが容易に実行できずシート材が破損し易く且つ山折り部の折り目の出来ばえがシャープでなく、又成形型が家庭用の簡略な道具としては、安価に製作できない問題があった。【００１０】特許文献５の従来の方法は、家庭のコンログリルにおいて、長手一辺が連結した二枚の板の先端に弾力性を有するスポンジ等の押し部で、押し下げ折り曲げる成形具であるが、焼き網線間に挿入しにくく先端部の接触状況を勘案して、先端部押し部を単独又は双方同時に、微調整することは容易ではなく、且つ山折り部の折り目の出来ばえがシャープではなく剛性面で問題があった。
そこで本発明は、従来のこれらの問題を解決したもので、家庭及び業務に供されるグリル付コンロでの焼き魚等の調理において、グリルの焼き網及び水入れ皿の汚れを防止してグリルや周囲の清潔の保持を図る魚焼きトレーを、提供することを目的としたものである。
【課題を解決するための手段】
【００１１】請求項１の発明は、コンロ片面焼きグリルの焼き網上（４）に展開（敷かれた）されたアルミ箔等の難燃性シート材（以下シート材）（７）は、焼き網（４）・水受け皿上縁部（以下フランジ部）（５）及び水受け皿側面部（６）の上部により中空支持を構成した状態で、手持ちして変形しない厚みの充分なる剛性を有した合成樹脂製、木製、金属製、硬質紙製等により成る押し接触面の寸法が固定（１、２）あるいは、鞘構造（１Ｄ）の可変長の板構造で、山折り部間域（１０Ａ）のシート材（７）を引き寄せ・押し下げて、山折り部（１０）と谷折り部（１１）を折り曲げ成形すると同時に、連動して山折り部間域（１０Ａ）のシート材両端（７Ａ、７Ｂ）の中空支持部である、焼き網（４）と水受け皿側面部（６）の上部及び水受け皿フランジ部（５）において、シート材（７）を引き寄せして、側面部（１２）とフランジ部（１３）を緩やかな絞り曲げ成形で製作されるべく、シート材（７）を破損しないようにシート両端（７Ａ、７Ｂ）付近の水受け皿側面（６）と直接接触しないで且つ同側面間で押し接触面の位置を成形調整のため適宜僅かに移動させることが可能な寸法と、シート材（７）との滑りが良好な曲面状の接触面形状（１Ｂ、１Ｃ）を有することを特徴とする、コンロ片面焼きグリルの波状構造の魚焼きトレー（１６）の製作具（１、２、１Ｄ）。【００１２】  請求項２の発明は、請求項１のコンロ片面焼きグリルの魚焼きトレー製作具（１、２、１Ｄ）により成形されたシート材（７）によるコンロ片面焼きグリルの魚焼きトレー（１６）の山折り部（１０）の剛性の強化と魚焼き調理の出来ばえ向上を図るべく焼き魚との接触面積を低減化するため、全ての山折り部（１０）の端を、手指でツマミ押さえ（１９）して固定後もう片方の手指で同山折り部（１０）全体を強く扱く（２０）ことで山折り部の折り目をシャープにすることを特徴とするコンロ片面焼きグリルの魚焼きトレー（１６）の製作方法。
【発明の効果】
【００１３】請求項１の発明によれば、コンロ片面焼きグリルの焼き網（４）に展開し、同焼き網（４）及び水受け皿フランジ部（５）及び水受け皿側面部（６）の上部で中空支持されたシート材（７）を、焼き網（４）線上の山折り部（１０）で一方の片手手指（８）で押えながら、山折り部間域（１０Ａ）より本発明の製作具（１、２、１Ｄ）をもう一方の片手手指（９）で持ち、曲面状（１Ｂ、１Ｃ）に加工された接触部（１Ａ、２Ａ、１Ｅ）を、わずかに円弧の軌跡を描くように少しずつ複数回押し下げて、焼き網（４）上のシート材（７）を、山折り部（１０）と谷折り部（１１）に折り曲げ成形すると共に、連動してシート材両端（７Ａ、７Ｂ）を引き寄せながら側面部（１２）とフランジ部（１３）を緩やかな絞り曲げ成形して、山折り部（１０）及び前述の側面部（１２）とフランジ部（１３）を有するＵ字状の谷折り部（１１）が構築された波状構造の魚焼きトレー（１６）が簡便でシート材費のみで安価に製作できる。【００１４】請求項２の発明によれば、請求項１の魚焼きトレー製作具（１、２、１Ｄ）で製作されたコンロ片面焼きグリルの魚焼きトレー（１６）の全ての山折り部（１０）の端を手指でツマミ押さえ（１９）して固定した上でもう片方の手指で同山折り部（１０）全体を強く扱く（２０）ことで、山折り部（１０）の折り目はシャープになり、剛性が強化され山折り部の焼き網からの浮き上がりが是正され、焼き魚の水分や油分の残渣を確実に貯留され、且つ魚焼き調理の出来ばえ向上のための焼き魚との接触面積の低減化が図られ、シート材（７）の材料費のみで安価で簡便に製作され、調理毎の洗い作業は特段不要でグリルの清潔は保持さる。
【図面の簡単な説明】
【００１５】
【図１】  魚焼きトレーの製作具概念図
【図２】  グリル水受け皿・焼き網概念図
【図３】  グリル焼き網上のシート材の展開概念図
【図４】  グリル焼き網上での魚焼きトレーの製作概念図
【図５】  図４の製作概念の断面概念図
【図６】  グリル焼き網上の魚焼きトレー載置奥行き断面概念図
【図７】  魚焼きトレー成形後山折り部補強概念図
【発明を実施するための形態】
【実施例１】
【００１６】以下本発明の実施例を図１〜図７に基づいて説明する。
図１に示すように、発砲塩化ビニル製で長方形（１７０ｍｍ＊５５ｍｍ＊３ｍｍ）の魚焼きトレー製作具（１）を図２に示すように、水受け皿（３）（２００ｍｍ＊２８０ｍｍ＊２８ｍｍ）の上に載置された焼き網（４）（２１０ｍｍ＊２９０ｍｍ）に図３に示すように市販されている家庭用アルミホイル（以下シート材）（７）（幅２５０ｍｍ  厚さ１１μｍのロール巻きを長さ７００ｍｍにカット）を展開して図４に示すよう焼き網（４）と水受け皿（３）のフランジ面（５）と側面（６）の上部で中空支持された状態で、左（右）手（８）の親指・人差し指・中指で焼き網（４）上のシート材（７）両端付近を押し付け固定して右（左）手（９）で前述の製作具（１）のほぼ中央付近をつまむように持ち、先端部の曲面部（１Ａ）をわずかに円弧の軌跡を描くようにして、小刻みに上下して引き寄せ・押し下げながら（概ね３〜６程度）、且つ谷折り部（１１）が水平バランスを保持するように、都度製作具先端曲面部（１Ａ）の水平バランスを勘案して、製作具（１）を山折り部間域（１０Ａ）の溝の中で、水受け皿底面部両端（１４Ａ、１４Ｂ）間で適宜僅かに移動させながらシート材（７）を引き寄せ・押し下げ、山折り部（１０）と谷折り部（１１）を折り曲げながら山折り部間域（１０Ａ）下方に図５及び図６に示すように、シート材（７）の両端（７Ａ、７Ｂ）において、水入れ皿（３）のフランジ面（５）と側面（６）の上部及び焼き網（４）との接触摩擦急増で、引き寄せ・押し下げが容易に実行できない段階で、山折り部（１０）が成形されると共に、深さが概ね１２ｍｍ〜１５ｍｍのＵ字形に谷折り部（１１）が成形され、且つ連動して山折り部間域（１０Ａ）の水受け皿フランジ部（５）及び同側面部（６）の上部で中空支持状態での、緩やかな絞り曲げ成形によりシート材両端（７Ａ、７Ｂ）が損傷無く、側面部（１２）と同フランジ部（１３）が成形され、さらに絞り曲げ成形後フランジ部（１３）で顕著なシート材両端（７Ａ、７Ｂ）の立ち上がりがあれば、山折り部（１０）を指で固定した状態で製作具（１）により直接フランジ部（１３）を押さえて水平補正し、これら一連の作業を全ての山折り部間域（１０Ａ）毎に実施後不要シート材（７）をトリミングした上で、図７に示すように片手で山折り部（１０）の端をツマミ押さえ（１９）で固定した上で、もう一方の手指で同山折り部（１０）を強く扱くことで（２０）、山折り部（１０）の折り目がシャープになり剛性を強化すると共に焼き魚との接触面積の低減化が図られた、波状構造の簡便で安価な魚焼きトレー（１６）が製作された。
【実施例２】
【００１７】実施例１で本発明の製作具（１）を用いて、図６に示すようにコンロ片面焼きグリルに載置した状態で製作された魚焼きトレー（１６）を使用して、水受け皿の水切れ検知用としてコンロ本体に搭載されている水切れセンサー対応として、コンロメーカーの推奨値である２００ｃｃを給水して、且つ魚焼きトレー（１６）にも全体として１００ｃｃ給水した上で、油分が多い鮮魚二匹を載せ余熱（コンロメーカーの推奨値は３〜４分）無しで焼き調理したが、同トレー素材のアルミ表面からの熱反射の寄与により、魚裏面まで効率よく熱が廻ることにより、焼き上がりが良好で魚の皮の損傷もほとんど無い魚焼き調理が完了して、取り出すと谷折り部（１１）中央域では、魚から排出された水分や油分等は、それらの残渣と焦げ付きとして薄く付着していたが、山折り部（１０）には前述の残渣や焦げ付きの付着がほとんど無く、グリル内の温度低下後使用した魚焼きトレー（１６）の四隅を中心に寄せて、包むように折り畳みグリル外に排出後、水受け皿（３）の給水面には油膜は確認されず、焼き魚調理中の水受け皿（３）への汚れ飛散防止効果が検証できた。
【符合の説明】
【００１８】１    製作具（長方形型）
１Ａ  製作具（長方形型）接触部
１Ｂ  製作具曲面部の長手方向曲面形状
１Ｃ  製作具曲面部の両端コーナーの曲面形状
１Ｄ  鞘構造製作具
１Ｅ  鞘構造製作具接触部
２    製作具（逆台形型）
２Ａ  製作具（逆台形型）接触部
３    水受け皿
４    焼き網
５    水受け皿フランジ部
６    水受け皿側面部
７    焼き網上に展開したシート材
７Ａ  焼き網上に展開したシート材両端
７Ｂ  焼き網上に展開したシート材両端
８    シート材固定手指
９    製作具を操る手指
１０  山折り部
１０Ａ  山折り部間域
１１  谷折り部
１２  側面部
１３  フランジ部
１４Ａ  水受け皿底面部両端
１４Ｂ  水受け皿底面部両端
１５  水受け皿底面部
１６  魚焼きトレー
１７  水受け皿支持材
１８  グリル扉
１９  山折り部の固定手指
２０  山折り部の扱き手指
【手続補正２】
【補正対象書類名】特許請求の範囲
【補正対象項目名】全文
【補正方法】変更
【補正の内容】
【特許請求の範囲】
【請求項１】
コンロ片面焼きグリルの焼き網上（４）に展開（敷かれた）されたアルミ箔等の難燃性シート材（以下シート材）（７）は、焼き網（４）・水受け皿上縁部（以下フランジ部）（５）及び水受け皿側面部（６）の上部により中空支持を構成した状態で、手持ちして変形しない厚みの充分なる剛性を有した合成樹脂製、木製、金属製、硬質紙製等により成る押し接触面の寸法が固定（１、２）あるいは、鞘構造（１Ｄ）の可変長の板構造で、山折り部間域（１０Ａ）のシート材（７）を引き寄せ・押し下げて、山折り部（１０）と谷折り部（１１）を折り曲げ成形すると同時に、連動して山折り部間域（１０Ａ）のシート材両端（７Ａ、７Ｂ）の中空支持部である、焼き網（４）と水受け皿側面部（６）の上部及び水受け皿フランジ部（５）において、シート材（７）を引き寄せして、側面部（１２）とフランジ部（１３）を緩やかな絞り曲げ成形で製作されるべく、シート材（７）を破損しないようにシート両端（７Ａ、７Ｂ）付近の水受け皿側面（６）と直接接触しないで且つ同側面間で押し接触面の位置を成形調整のため適宜僅かに移動させることが可能な寸法と、シート材（７）との滑りが良好な曲面状の接触面形状（１Ｂ、１Ｃ）を有することを特徴とする、コンロ片面焼きグリルの波状構造の魚焼きトレー（１６）の製作具（１、２、１Ｄ）。
【請求項２】
請求項１のコンロ片面焼きグリルの魚焼きトレー製作具（１、２、１Ｄ）により成形されたシート材（７）によるコンロ片面焼きグリルの魚焼きトレー（１６）の山折り部（１０）の剛性の強化と魚焼き調理の出来ばえ向上を図るべく焼き魚との接触面積を低減化するため、全ての山折り部（１０）の端を、手指でツマミ押さえ（１９）して固定後もう片方の手指で同山折り部（１０）全体を強く扱く（２０）ことで山折り部の折り目をシャープにすることを特徴とするコンロ片面焼きグリルの魚焼きトレー（１６）の製作方法。
【手続補正４】
【補正対象書類名】図面
【補正対象項目名】全図
【補正方法】変更
【補正の内容】
【図１】
2011143213.tif 000010
【図２】
2011143213.tif 000011
【図３】
2011143213.tif 000012
【図４】
2011143213.tif 000013
【図５】
2011143213.tif 000014
【図６】
2011143213.tif 000015
【図７】
2011143213.tif 000016